(57)【要約】【課題】排ガス処理システムを、容易に取り付けまたは取り外し可能とすることで、追設工事の費用を抑制することができる船舶、排ガス処理システムの取付方法及び排ガス処理システムの取外し方法を提供する。【解決手段】排ガスを排出可能な煙突６と、煙突６を通過する排ガスを浄化可能な排ガス処理システムとを備え、暴露面Ｐ１が形成される船舶であって、排ガス処理システムは、煙突６に接続され、煙突６を通過する排ガスを浄化するスクラバ装置２１と、スクラバ装置２１の付帯設備を内部に収容してパッケージ化され、スクラバ装置２１と付帯設備とが接続されると共に、暴露面Ｐ１に設置されるコンテナ２２と、を有する。【選択図】図１
2014221594.tif 000002
【特許請求の範囲】
【請求項１】
船舶の煙突に接続され、前記煙突を通過する前記排ガスを浄化する浄化装置と、
前記浄化装置の付帯設備を内部に収容してパッケージ化され、前記浄化装置と前記付帯設備とが接続されると共に、前記船舶の暴露面に設置されるパッケージ収容体と、を有する排ガス処理システムを備えることを特徴とする船舶。
【請求項２】
前記パッケージ収容体は、海上コンテナであることを特徴とする請求項１に記載の船舶。
【請求項３】
前記浄化装置は、前記排ガスと浄化用処理液とを気液接触させ、気液接触後の排ガスを浄化ガスとし、気液接触後の浄化用処理液を排液とするスクラバ装置であり、
前記排ガス処理システムは、前記排液に添加される中和剤を溜める中和剤タンクを有し、
前記中和剤タンクは、喫水線よりも上方側に設置されることを特徴とする請求項１または２に記載の船舶。
【請求項４】
船舶内部と船舶外部との間に架け渡される車両が通行可能なランプと、
前記ランプから前記船舶内部に乗り込む前記車両を支持する乗込み甲板と、をさらに備え、
前記中和剤タンクは、前記乗込み甲板上に設置されることを特徴とする請求項３に記載の船舶。
【請求項５】
前記中和剤タンクは、可搬式のタンクであることを特徴とする請求項３または４に記載の船舶。
【請求項６】
前記中和剤タンクは、船殻構造のタンクであることを特徴とする請求項３または４に記載の船舶。
【請求項７】
前記浄化装置は、前記排ガスと浄化用処理液とを気液接触させ、気液接触後の排ガスを浄化ガスとし、気液接触後の浄化用処理液を排液とするスクラバ装置であり、
前記排ガス処理システムは、前記排液を排液処理水とスラッジとに分離する排液処理装置と、前記スラッジを溜めるスラッジタンクと、をさらに有することを特徴とする請求項１または２に記載の船舶。
【請求項８】
船舶内部と船舶外部との間に架け渡される車両が通行可能なランプと、
前記ランプから前記船舶内部に乗り込む前記車両を支持する乗込み甲板と、をさらに備え、
前記スラッジタンクは、前記乗込み甲板上に設置されることを特徴とする請求項７に記載の船舶。
【請求項９】
前記スラッジタンクは、可搬式のタンクであることを特徴とする請求項７または８に記載の船舶。
【請求項１０】
前記スラッジタンクは、船殻構造のタンクであることを特徴とする請求項７または８に記載の船舶。
【請求項１１】
前記パッケージ収容体と前記暴露面との間には、前記暴露面に対して前記パッケージ収容体を着脱可能に固定する締結機構が設けられることを特徴とする請求項１から１０のいずれか１項に記載の船舶。
【請求項１２】
前記パッケージ収容体は、内部に収容される内部配管と、前記内部配管に接続され、前記内部配管から壁体に亘って設けられる貫通配管と、をさらに有し、
前記排ガス処理システムは、
前記パッケージ収容体の前記内部配管に接続される外部配管と、
前記貫通配管と前記外部配管とを接続する可撓性のフレキシブル配管と、を有することを特徴とする請求項１から１１のいずれか１項に記載の船舶。
【請求項１３】
海水を汲み上げる海水ポンプを、さらに備え、
前記付帯設備は、前記海水ポンプによって汲み上げた前記海水を加圧するブーストポンプを有し、
前記ブーストポンプを収容する前記パッケージ収容体が設置される前記暴露面は、鉛直方向において、前記ブーストポンプを収容しない前記パッケージ収容体が設置される前記暴露面よりも下方側となっていることを特徴とする請求項１から１２のいずれか１項に記載の船舶。
【請求項１４】
前記浄化装置は、前記排ガスと浄化用処理液とを気液接触させ、気液接触後の排ガスを浄化ガスとし、気液接触後の浄化用処理液を排液とするスクラバ装置であり、前記排液を内部に溜める排液タンクを有し、
前記付帯設備は、前記排液タンク内の前記排液を汲み上げる排液ポンプを有し、
前記排液ポンプを収容する前記パッケージ収容体が設置される前記暴露面は、鉛直方向において、前記浄化装置が設置される暴露面以下となっていることを特徴とする請求項１から１３のいずれか１項に記載の船舶。
【請求項１５】
前記浄化装置は、前記排ガスと浄化用処理液とを気液接触させ、気液接触後の排ガスを浄化ガスとし、気液接触後の浄化用処理液を排液とするスクラバ装置であり、前記排液を内部に溜める排液タンクを有し、
前記付帯設備は、前記排液タンク内に注入する中和剤を一時的に溜めるサージタンクを有し、
前記サージタンクを収容する前記パッケージ収容体が設置される前記暴露面は、鉛直方向において、前記浄化装置が設置される暴露面よりも上方側となっていることを特徴とする請求項１から１４のいずれか１項に記載の船舶。
【請求項１６】
船舶に排ガス処理システムを設置する船舶の改造方法において、
前記船舶の煙突を撤去する煙突撤去工程と、
主排ガス流路と分岐排ガス流路とを有する煙突を設置する煙突設置工程と、
船舶の暴露面に、排ガスを浄化する浄化装置と、前記浄化装置の付帯設備を内部に収容してパッケージ化されたパッケージ収容体と、を取り付ける取付工程と、
前記浄化装置と、前記パッケージ収容体に収容される前記付帯設備とを接続する接続工程と、を備えることを特徴とする船舶の改造方法。
【請求項１７】
前記取付工程では、前記船舶の主機関を制御する機関室に、前記排ガス処理システムの制御装置を設置することを特徴とする請求項１６に記載の船舶の改造方法。
【請求項１８】
排ガスを排出可能な煙突を有する船舶に、排ガス処理システムを取り付ける排ガス処理システムの取付方法において、
前記煙突が、前記排ガスが通過する主排ガス流路から分岐する分岐排ガス流路を有する場合、
前記船舶に形成される暴露面に、前記排ガスを浄化する浄化装置と、前記浄化装置の付帯設備を内部に収容してパッケージ化されたパッケージ収容体と、を取り付ける取付工程と、
前記浄化装置と、前記パッケージ収容体に収容される前記付帯設備とを接続する接続工程と、を備えることを特徴とする排ガス処理システムの取付方法。
【請求項１９】
前記取付工程では、前記船舶の主機関を制御する機関室に、前記排ガス処理システムの制御装置を設置することを特徴とする請求項１８に記載の排ガス処理システムの取付方法。
【請求項２０】
排ガスを排出可能な船舶の煙突に接続された排ガス処理システムを取り外す排ガス処理システムの取外し方法において、
前記船舶に形成される暴露面に設置された、前記排ガスを浄化する浄化装置と、前記浄化装置の付帯設備を内部に収容してパッケージ化されたパッケージ収容体との接続を解除する接続解除工程と、
前記船舶に形成される暴露面から、前記浄化装置と前記パッケージ収容体とを取り外す取外し工程と、を備えることを特徴とする排ガス処理システムの取外し方法。
【発明の詳細な説明】
【技術分野】
【０００１】
本発明は、排ガス処理システムを備える船舶、船舶の改造方法、排ガス処理システムの取付方法及び排ガス処理システムの取外し方法に関するものである。
【背景技術】
【０００２】
従来、船舶におけるエンジンから排気される排気ガスを浄化する排気ガス浄化システムが知られている（例えば、特許文献１参照）。この排気ガス浄化システムは、船舶に既に搭載された構成となっている。
【先行技術文献】
【特許文献】
【０００３】
【特許文献１】国際公開第２０１０／０３２７３９号パンフレット
【発明の概要】
【発明が解決しようとする課題】
【０００４】
ところで、既設の船舶は、排ガス処理システムを備えていない場合がある。このため、既設の船舶を使用する場合、排ガスの環境基準を満たすべく、排ガス処理システムを追設する必要がある。しかしながら、排ガス処理システムを追設する場合、排ガス処理システムを構成する各種機器は、設置スペースを確保すべく、船舶内外に分散して配置されることになる。このため、船舶に排ガス処理システムを追設するための工事が、大幅な変更を伴う工事となり、追設工事の費用が増大する可能性がある。
【０００５】
そこで、本発明は、排ガス処理システムを、容易に取り付けまたは取り外し可能とすることで、追設工事の費用を抑制することができる船舶、船舶の改造方法、排ガス処理システムの取付方法及び排ガス処理システムの取外し方法を提供することを課題とする。
【課題を解決するための手段】
【０００６】
本発明の船舶は、船舶の煙突に接続され、前記煙突を通過する前記排ガスを浄化する浄化装置と、前記浄化装置の付帯設備を内部に収容してパッケージ化され、前記浄化装置と前記付帯設備とが接続されると共に、前記船舶の暴露面に設置されるパッケージ収容体と、を有する排ガス処理システムを備えることを特徴とする。
【０００７】
この構成によれば、浄化装置と、付帯設備が収容されたパッケージ収容体と、を船舶の暴露面に設置することで、煙突を通過する排ガスを浄化する排ガス処理システムを容易に構築することができる。このため、排ガス処理システムを船舶に追設する追設工事の費用を抑制することができる。また、船舶の暴露面から、浄化装置と、付帯設備が収容されたパッケージ収容体とを取り外すことで、排ガス処理システムを船舶から容易に取り外すことができる。このため、船舶が廃船または売船される場合であっても、排ガス処理システムを船舶から取り外し、排ガス処理システムを再利用することが可能となるため、排ガス処理システムを有効に利用することができる。
【０００８】
また、前記パッケージ収容体は、海上コンテナであることが好ましい。
【０００９】
この構成によれば、規格の海上コンテナを用いることができるため、排ガス処理システムの製造コストを抑制することができる。
【００１０】
また、前記浄化装置は、前記排ガスと浄化用処理液とを気液接触させ、気液接触後の排ガスを浄化ガスとし、気液接触後の浄化用処理液を排液とするスクラバ装置であり、前記排ガス処理システムは、前記排液に添加される中和剤を溜める中和剤タンクを有し、前記中和剤タンクは、喫水線よりも上方側に設置されることが好ましい。
【００１１】
この構成によれば、中和剤タンクを喫水線よりも上方側に設置することができるため、中和剤タンクを海水と接する船底から遠くなる位置に設けることができる。このため、中和剤は、海水によって冷やされ難くなることから、凝固することを抑制することができる。なお、中和剤として、例えば、苛性ソーダを用いる場合、苛性ソーダの凝固点は、１０℃程度であることから、中和剤タンクを喫水線よりも上方側に設置することで、苛性ソーダの凝固を抑制することができる。
【００１２】
また、船舶内部と船舶外部との間に架け渡される車両が通行可能なランプと、ランプから船舶内部に乗り込む車両を支持する乗込み甲板と、をさらに備え、中和剤タンクは、乗込み甲板上に設置されることが好ましい。
【００１３】
この構成によれば、剛性が高くなるように設計された乗込み甲板上に、中和剤タンクを設置することができる。このため、中和剤タンクの設置に際し、設置部分の補強工事を行う必要がないため、排ガス処理システムの追設工事の費用をさらに抑制することができる。
【００１４】
また、前記中和剤タンクは、可搬式のタンクであることが好ましい。
【００１５】
この構成によれば、規格の可搬式のタンクを中和剤タンクとして用いることができるため、専用の中和剤タンクを製造する必要がなく、排ガス処理システムの製造コストを抑制することができる。
【００１６】
また、前記中和剤タンクは、船殻構造のタンクであることが好ましい。
【００１７】
この構成によれば、中和剤タンクを船舶と同様の構造にすることができるため、例えば、新造される船舶と同等の剛性の高い中和剤タンクを、船舶と一体に設けることが可能となる。
【００１８】
また、前記浄化装置は、前記排ガスと浄化用処理液とを気液接触させ、気液接触後の排ガスを浄化ガスとし、気液接触後の浄化用処理液を排液とするスクラバ装置であり、前記排ガス処理システムは、前記排液を排液処理水とスラッジとに分離する排液処理装置と、前記スラッジを溜めるスラッジタンクと、をさらに有することが好ましい。
【００１９】
この構成によれば、排液処理装置によって排液からスラッジを分離させることで、排出物の容積を小さくすることができるため、スラッジタンクの容積を小さくすることができる。
【００２０】
また、船舶内部と船舶外部との間に架け渡される車両が通行可能なランプと、前記ランプから前記船舶内部に乗り込む前記車両を支持する乗込み甲板と、をさらに備え、前記スラッジタンクは、前記乗込み甲板上に設置されることが好ましい。
【００２１】
この構成によれば、剛性が高くなるように設計された乗込み甲板上に、スラッジタンクを設置することができる。このため、スラッジタンクの設置に際し、設置部分の補強工事を行う必要がないため、排ガス処理システムの追設工事の費用をさらに抑制することができる。
【００２２】
また、前記スラッジタンクは、可搬式のタンクであることが好ましい。
【００２３】
この構成によれば、規格の可搬式のタンクをスラッジタンクとして用いることができるため、専用のスラッジタンクを製造する必要がなく、排ガス処理システムの製造コストを抑制することができる。
【００２４】
また、前記スラッジタンクは、船殻構造のタンクであることが好ましい。
【００２５】
この構成によれば、スラッジタンクを船舶と同様の構造にすることができるため、例えば、新造される船舶と同等の剛性の高いスラッジタンクタンクを、船舶と一体に設けることが可能となる。
【００２６】
また、前記パッケージ収容体と前記暴露面との間には、前記暴露面に対して前記パッケージ収容体を着脱可能に固定する締結機構が設けられることが好ましい。
【００２７】
この構成によれば、パッケージ収容体を暴露面に対して容易に着脱することが可能となる。なお、締結機構としては、例えば、ツイストロックが適用される。
【００２８】
また、前記パッケージ収容体は、内部に収容される内部配管と、前記内部配管に接続され、前記内部配管から前記パッケージ収容体の壁体に亘って設けられる貫通配管と、をさらに有し、前記排ガス処理システムは、前記パッケージ収容体の前記内部配管に接続される外部配管と、前記貫通配管と前記外部配管とを接続する可撓性のフレキシブル配管と、を有することが好ましい。
【００２９】
この構成によれば、フレキシブル配管により貫通配管と外部配管とを接続することができるため、貫通配管と外部配管との相互の位置の微調整を行う必要がなく、貫通配管と外部配管と好適に接続することができる。また、船舶の振動による貫通配管と外部配管との相互の位置ずれを、フレキシブル配管において吸収することができるため、貫通配管と外部配管との接続を好適に維持することができる。
【００３０】
また、海水を汲み上げる海水ポンプを、さらに備え、前記付帯設備は、前記海水ポンプによって汲み上げた前記海水を加圧するブーストポンプを有し、前記ブーストポンプを収容する前記パッケージ収容体が設置される前記暴露面は、鉛直方向において、前記ブーストポンプを収容しない前記パッケージ収容体が設置される前記暴露面よりも下方側となっていることが好ましい。
【００３１】
この構成によれば、海水ポンプで汲み上げた海水を、ブーストポンプにより加圧して、鉛直方向の上方側にあるパッケージ収容体の付帯設備に供給することができる。このため、海水ポンプの吐出圧が低い場合であっても、ブーストポンプにより加圧して、海水を利用する付帯設備に好適に供給することができ、排ガス処理システムの効率化を図ることができる。
【００３２】
また、前記浄化装置は、前記排ガスと浄化用処理液とを気液接触させ、気液接触後の排ガスを浄化ガスとし、気液接触後の浄化用処理液を排液とするスクラバ装置であり、前記排液を内部に溜める排液タンクを有し、前記付帯設備は、前記排液タンク内の前記排液を汲み上げる排液ポンプを有し、前記排液ポンプを収容する前記パッケージ収容体が設置される前記暴露面は、鉛直方向において、前記浄化装置が設置される暴露面以下となっていることが好ましい。
【００３３】
この構成によれば、排液タンク内の排液を、排液ポンプにより容易に汲み上げることができ、排ガス処理システムの効率化を図ることができる。
【００３４】
また、前記浄化装置は、前記排ガスと浄化用処理液とを気液接触させ、気液接触後の排ガスを浄化ガスとし、気液接触後の浄化用処理液を排液とするスクラバ装置であり、前記排液を内部に溜める排液タンクを有し、前記付帯設備は、前記排液タンク内に注入する中和剤を一時的に溜めるサージタンクを有し、前記サージタンクを収容する前記パッケージ収容体が設置される前記暴露面は、鉛直方向において、前記浄化装置が設置される暴露面よりも上方側となっていることが好ましい。
【００３５】
この構成によれば、サージタンク内の中和剤を、排液タンクへ向けて重力により注入することができるため、中和剤を供給するための駆動源を設ける必要がなく、排ガス処理システムの効率化を図ることができる。
【００３６】
本発明の船舶の改造方法は、船舶に排ガス処理システムを設置する船舶の改造方法において、前記船舶の煙突を撤去する煙突撤去工程と、主排ガス流路と分岐排ガス流路とを有する煙突を設置する煙突設置工程と、船舶の暴露面に、排ガスを浄化する浄化装置と、前記浄化装置の付帯設備を内部に収容してパッケージ化されたパッケージ収容体と、を取り付ける取付工程と、前記浄化装置と、前記パッケージ収容体に収容される前記付帯設備とを接続する接続工程と、を備えることを特徴とする船舶の改造方法。
【００３７】
この構成によれば、既設の船舶に設けられる煙突が分岐排ガス流路を有しない場合、排ガス処理システムを接続可能な煙突に取り替えることができる。この後、浄化装置と、付帯設備が収容されたパッケージ収容体と、を船舶の暴露面に設置することで、煙突を通過する排ガスを浄化する排ガス処理システムを容易に設置することができる。このため、排ガス処理システムを船舶に追設する追設工事の費用を抑制することができる。
【００３８】
また、前記取付工程では、前記船舶の主機関を制御する機関室に、前記排ガス処理システムの制御装置を設置することが好ましい。
【００３９】
この構成によれば、排ガス処理システムの制御装置を機関室に設置することができるため、機関室において排ガス処理システムの制御を実行することができる。
【００４０】
本発明の他の排ガス処理システムの取付方法は、排ガスを排出可能な煙突を有する船舶に、排ガス処理システムを取り付ける排ガス処理システムの取付方法において、前記煙突が、前記排ガスが通過する主排ガス流路から分岐する分岐排ガス流路を有する場合、前記船舶に形成される暴露面に、前記排ガスを浄化する浄化装置と、前記浄化装置の付帯設備を内部に収容してパッケージ化されたパッケージ収容体と、を取り付ける取付工程と、前記浄化装置と、前記パッケージ収容体に収容される前記付帯設備とを接続する接続工程と、を備えることを特徴とする。
【００４１】
この構成によれば、新造の船舶の煙突に分岐排ガス流路が予め設けられる場合、浄化装置と、付帯設備が収容されたパッケージ収容体と、を船舶の暴露面に設置することで、煙突を通過する排ガスを浄化する排ガス処理システムを容易に設置することができる。このため、排ガス処理システムを船舶に追設する追設工事の費用を抑制することができる。
【００４２】
また、前記取付工程では、前記船舶の主機関を制御する機関室に、前記排ガス処理システムの制御装置を設置することが好ましい。
【００４３】
この構成によれば、排ガス処理システムの制御装置を機関室に設置することができるため、機関室において排ガス処理システムの制御を実行することができる。
【００４４】
本発明の排ガス処理システムの取外し方法は、排ガスを排出可能な船舶の煙突に接続された排ガス処理システムを取り外す排ガス処理システムの取外し方法において、前記船舶に形成される暴露面に設置された、前記排ガスを浄化する浄化装置と、前記浄化装置の付帯設備を内部に収容してパッケージ化されたパッケージ収容体との接続を解除する接続解除工程と、前記船舶に形成される暴露面から、前記浄化装置と前記パッケージ収容体とを取り外す取外し工程と、を備えることを特徴とする。
【００４５】
この構成によれば、船舶の暴露面から、浄化装置と、付帯設備が収容されたパッケージ収容体と、を取り外すことで、船舶に取り付けられた排ガス処理システムを、容易に取り外すことができる。このため、船舶から排ガス処理システムを取り外す撤去工事の費用を抑制することができる。また、取り外した浄化装置及びパッケージ収容体は、再利用することが可能となるため、排ガス処理システムを有効に利用することができる。
【図面の簡単な説明】
【００４６】
【図１】図１は、実施例１に係る排ガス処理システムを備える船舶の船尾側の概略構成図である。
【図２】図２は、船舶の暴露面を上方から見たときの平面図である。
【図３】図３は、船舶の乗込み甲板を上方から見たときの平面図である。
【図４】図４は、排ガス処理システムの系統を示す説明図である。
【図５】図５は、コンテナの内外における配管の接続を示す説明図である。
【図６】図６は、排ガス処理システムの制御系を示す説明図である。
【図７】図７は、船舶に排ガス処理システムを取り付ける一例のフローチャートである。
【図８】図８は、船舶に排ガス処理システムを取り付ける一例のフローチャートである。
【図９】図９は、船舶から排ガス処理システムを取り外す一例のフローチャートである。
【図１０】図１０は、実施例２に係る排ガス処理システムの中和剤タンク及びスラッジタンクを上方から見たときの平面図である。
【図１１】図１１は、図１０のＡ−Ａ断面図である。
【図１２】図１２は、図１０のＢ−Ｂ断面図である。
【発明を実施するための形態】
【００４７】
以下に、本発明に係る実施例を図面に基づいて詳細に説明する。なお、この実施例によりこの発明が限定されるものではない。また、下記実施例における構成要素には、当業者が置換可能かつ容易なもの、あるいは実質的に同一のものが含まれる。
【実施例１】
【００４８】
図１は、実施例１に係る排ガス処理システムを備える船舶の船尾側の概略構成図である。図２は、船舶の暴露面を上方から見たときの平面図である。図３は、船舶の乗込み甲板を上方から見たときの平面図である。図４は、排ガス処理システムの系統を示す説明図である。図５は、排ガス処理システムの制御系を示す説明図である。
【００４９】
図１に示すように、実施例１の船舶は、煙突から排出される排ガスを処理する排ガス処理システムを搭載した船舶である。この排ガス処理システム２０は、船舶として、例えば、自動車運搬船１に搭載されている。以下では、自動車運搬船１に排ガス処理システム２０を適用した場合について説明する。なお、実施例１では、自動車運搬船１に適用して説明するが、自動車運搬船１に限らず、例えば、タンカーまたは乗客船等の船舶に適用してもよく、特に限定されない。
【００５０】
自動車運搬船１（以下、運搬船１という）は、船舶本体２と、排ガス処理システム２０とを備える。船舶本体２は、その上甲板の上面が暴露面Ｐ１となっている。船舶本体２は、船舶内部に設けられる主機関５と、排ガスを外部へ排出する煙突６と、主機関５から排出される排ガスを煙突６へ導く排ガス管７と、を有する。主機関５は、船舶の駆動源となっており、船尾に設けられているスクリュープロペラ８を回転駆動させることで、船舶を進ませる。
【００５１】
煙突６は、暴露面Ｐ１から上方に突出して設けられている。煙突６は、主排ガス流路１１と、分岐排ガス流路１２と、排ガスチャンバ１３とを有している。主排ガス流路１１は、船舶内部から排出される排ガスを外部へ排出する流路であり、複数設けられている。複数の主排ガス流路１１のうち、その１つの主排ガス流路１１は、主機関５の排ガスが流れる排ガス管７に接続されている。また、複数の主排ガス流路１１のうち、その他の主排ガス流路１１は、船舶内部に設けられる発電設備またはボイラー等から排出される排ガスを案内する排ガス管７（図２及び図３参照）に接続されている。分岐排ガス流路１２は、主排ガス流路１１から分岐して排ガス処理システム２０へ向かう流路であり、複数の主排ガス流路１１に応じて複数設けられている。複数の分岐排ガス流路１２は、排ガスチャンバ１３に接続されている。排ガスチャンバ１３は、複数の分岐排ガス流路１２から流入する排ガスを溜める空間であり、船舶内部に設けられる主機関５、発電設備及びボイラー等から排出された排ガスが混合される。また、この煙突６には、複数の主排ガス流路１１及び複数の分岐排ガス流路１２にそれぞれ開閉弁１４が設けられている。そして、これら開閉弁１４が適宜制御されることで、主排ガス流路１１を通過させて排ガスを外部へ排出したり、分岐排ガス流路１２を通過させて排ガスを排ガス処理システム２０へ流通させたりする。
【００５２】
また、船舶本体２は、船尾の右舷側に設けられるランプ１５と、船舶内部に設けられる乗込み甲板１６と、船舶内部に設けられるエンジンケーシング１７と、受入設備１８と、海水ポンプ１９とを有している。ランプ１５は、船舶外部と船舶内部との間に架け渡され、運搬車両が通行可能な斜路となっている。乗込み甲板１６は、ランプ１５から船舶内部に乗り込んだ運搬車両を支持する甲板となっており、他の階層の甲板に比して剛性の高い支持構造となっている。エンジンケーシング１７は、乗込み甲板１６から煙突６へ向かう鉛直方向に亘って、排ガス管７の周りを囲むように設けられている。このエンジンケーシング１７内に、主機関５、発電設備及びボイラー等から排出された排ガスが流通する排ガス管７が配置される。受入設備１８は、使用される燃料等を船内に供給したり、船内で発生した廃棄物を船外へ排出するための設備である。なお、この受入設備１８は、後述する中和剤タンク２３への中和剤の供給、及びスラッジタンク２４からのスラッジの船外排出を中継するためにも利用される。海水ポンプ１９は、海中から海水を汲み上げるポンプであり、汲み上げた海水を、排ガス処理システム２０へ向けて供給する。
【００５３】
次に、排ガス処理システム２０について説明する。排ガス処理システム２０は、スクラバ装置（浄化装置）２１と、スクラバ装置２１の付帯設備を内部に収容する複数のコンテナ（パッケージ収容体）２２と、中和剤タンク２３と、スラッジタンク２４とを有している。スクラバ装置２１と複数のコンテナ２２とは、船舶本体２の暴露面Ｐ１上に配置されている。一方で、中和剤タンク２３とスラッジタンク２４とは、船内に設けられている。
【００５４】
スクラバ装置２１は、浄化用処理液としての清水と、内部に導入される排ガスとを気液接触させ、気液接触後の排ガスを浄化ガスとし、気液接触後の浄化用処理液を排液としている。浄化ガスは、スクラバ装置２１の上部に設けられる排気口２１ａから排出される。スクラバ装置２１には、排ガス流入管２５が接続されている。排ガス流入管２５は、その一端が煙突６の排ガスチャンバ１３に接続され、その他端がスクラバ装置２１に接続されている。そして、スクラバ装置２１には、排ガス流入管２５を介して排ガスチャンバ１３から排ガスが流入する。また、スクラバ装置２１の内部には、排液を溜める排液タンク３０が設けられている。
【００５５】
複数のコンテナ２２は、各々がＩＳＯ規格の海上コンテナで構成されている。図２に示すように、各コンテナ２２と暴露面Ｐ１との間には、暴露面Ｐ１に対してコンテナ２２を着脱可能に固定するツイストロック（締結機構）２７が設けられている。複数のコンテナ２２は、実施例１において、第１コンテナ２２ａ、第２コンテナ２２ｂ及び第３コンテナｃの３つ設けられ、３つのコンテナ２２ａ，２２ｂ，２２ｃには、付帯設備がそれぞれ収容されている。
【００５６】
図４に示すように、第１コンテナ２２ａに設けられる付帯設備としては、ブーストポンプ３１と、排液ポンプ３２とが設けられている。ブーストポンプ３１は、海水ポンプ１９で汲み上げた海水を加圧するポンプである。排液ポンプ３２は、スクラバ装置２１の排液タンク３０内の排液を汲み上げるポンプである。
【００５７】
第２コンテナ２２ｂに設けられる付帯設備としては、サージタンク３３と、排液処理装置３４とが設けられている。サージタンク３３は、スクラバ装置２１の排液タンク３０へ向けて注入する中和剤を一時的に溜めるタンクである。中和剤としては、例えば、苛性ソーダが用いられ、酸性となる排液のｐＨを所定のｐＨとしている。排液処理装置３４は、スクラバ装置２１の排液タンク３０内の排液を処理している。排液処理装置３４は、図示しないフィルタ等の分離装置により、供給された排液を、排液処理水とスラッジとに分離し、分離した排液処理水を船舶本体２に設けられた排水口４１から排水すると共に、分離したスラッジをスラッジタンク２４へ向けて供給する。
【００５８】
第３コンテナ２２ｃに設けられる付帯設備としては、造水装置３５が設けられている。造水装置３５は、海水ポンプ１９により汲み上げた海水を、淡水化して清水を生成し、生成した清水を各部へ供給している。造水装置３５は、生成した清水を、例えば、スクラバ装置２１の排液タンク３０に供給する。
【００５９】
ここで、図１に示すように、３つのコンテナ２２ａ，２２ｂ，２２ｃのうち、第１コンテナ２２ａは、スクラバ装置２１の設置面（暴露面Ｐ１）と同じ設置面となっており、また、第２コンテナ２２ｂ及び第３コンテナ２２ｃよりも下方側に位置している。このため、ブーストポンプ３１を収容する第１コンテナ２２ａの設置面は、第２コンテナ２２ｂ及び第３コンテナ２２ｃの設置面よりも下方側に位置することになる。また、排液ポンプ３２を収容する第１コンテナ２２ａの設置面は、スクラバ装置２１の設置面と同じ高さとなる。さらに、サージタンク３３を収容する第２コンテナ２２ｂの設置面は、スクラバ装置２１の設置面よりも上方側に位置することになる。
【００６０】
また、図２に示すように、３つのコンテナ２２ａ，２２ｂ，２２ｃのうち、第１コンテナ２２ａは、水平面内において、スクラバ装置２１に隣接して設けられている。また、第２コンテナ２２ｂは、第１コンテナ２２ａと比べてスクラバ装置２１から遠い側に配置され、第３コンテナ２２ｃは、第２コンテナ２２ｂと比べてスクラバ装置２１から遠い側に配置されている。
【００６１】
中和剤タンク２３は、上記したように乗込み甲板１６に設置されると共に、ランプ１５の反対舷（左舷）側に設けられている。中和剤タンク２３は、規格の可搬式のタンクで構成されている。なお、可搬式の中和剤タンク２３であれば、船板を介して海水と中和剤とが接触することがなく、中和剤が凝固し難いことから、中和剤タンク２３は、喫水線よりも上方側に設置されてもよいし、下方側に設置されてもよい。中和剤タンク２３は、サージタンク３３へ供給される中和剤を溜めており、中和剤タンク２３とサージタンク３３との間に設けられたポンプユニット３９により、中和剤タンク２３の中和剤がサージタンク３３へ向けて供給される。また、中和剤タンク２３は、受入設備１８に接続されている。この受入設備１８には、トレーラまたはバージ等の外部の供給設備２８ａから延びる供給ホース２９ａが接続され、外部の供給設備２８ａは、供給ホース２９ａ及び受入設備１８を経由して、中和剤タンク２３に中和剤を供給する。
【００６２】
スラッジタンク２４も、上記したように乗込み甲板１６に設置されると共に、中和剤タンク２３に隣接してランプ１５の反対舷（左舷）側に設けられている。スラッジタンク２４も、規格の可搬式のタンクで構成されている。スラッジタンク２４は、排液処理装置３４において分離されたスラッジを溜めており、排液処理装置３４のスラッジが供給される。また、スラッジタンク２４は、受入設備１８に接続されている。この受入設備１８には、トレーラまたはバージ等の外部の排出設備２８ｂから延びる排出ホース２９ｂが接続され、外部の排出設備２８には、受入設備１８及び排出ホース２９ｂを経由して、スラッジタンク２４内のスラッジが排出される。
【００６３】
このように構成された排ガス処理システム２０は、スクラバ装置２１、３つのコンテナ２２、中和剤タンク２３及びスラッジタンク２４が外部配管４７によって接続される。ここで、図５を参照し、排ガス処理システム２０に設けられる配管について説明する。コンテナ２２は、内部に収容される内部配管４５と、内部配管４５に接続されると共に内部配管４５からコンテナ壁（壁体）４３に亘って設けられる貫通配管４６とを有している。内部配管４５は、ステンレスを用いて構成され、その一端が付帯設備に接続される。なお、内部配管４５は、ステンレスに限定されず、いずれの材料を用いてもよい。貫通配管４６は、その一端が、内部配管４５の他端に接続され、その他端がコンテナ壁４３に接続されており、コンテナ壁４３を貫通して設けられている。この貫通配管４６は、コンテナ壁４３との間が溶接により接合されていることから、貫通配管４６周りのコンテナ２２は、気密に封止された状態となっており、これにより、コンテナ２２内部の暴露を抑制している。また、排ガス処理システム２０には、貫通配管４６と外部配管４７とを接続する可撓性のフレキシブル配管４８が設けられる。フレキシブル配管４８は、その一端が貫通配管４６に接続され、その他端が外部配管４７に接続される。
【００６４】
図４に示す排ガス処理システム２０において、海水ポンプ１９から海水が汲み上げられると、汲み上げられた一部の海水がブーストポンプ３１へ向けて供給され、汲み上げられた他の海水が造水装置３５へ供給される。ブーストポンプ３１へ向けて供給された海水は、スクラバ装置２１へ供給可能となっている。一方で、造水装置３５へ供給された海水は、造水装置３５によって清水に生成される。生成された一部の清水は、造水装置３５によって排液タンク３０に供給される。
【００６５】
また、生成された清水が流入する排液タンク３０に溜まった排液は、排液ポンプ３２によって汲み上げられる。排液ポンプ３２によって汲み上げられた排液は、一部の排液が排液処理装置３４に供給され、他の排液が浄化用処理液（スクラバ水）としてスクラバ装置２１の内部のスプレイに供給される。そして、スクラバ装置２１に供給された浄化用処理液は、排ガスと気液接触する。気液接触後の浄化用処理液は、排液となって再び排液タンク３０に流入する。また、気液接触後の排ガスは、浄化ガスとなってスクラバ装置２１の上部の排気口２１ａから排出される。
【００６６】
次に、図６を参照して、排ガス処理システム２０の制御系について説明する。排ガス処理システム２０は、主制御装置５０と、補助制御盤５１とを備えている。主制御装置５０は、排ガス処理システム２０を統括制御するものであり、機関士の操作に基づいて、各種制御が行われる。主制御装置５０は、機関士が常駐する機関室に設置されている。補助制御盤５１は、排ガス処理システム２０に設けられる各機器の制御を行うために設けられ、主制御装置５０と接続されている。補助制御盤５１は、コンテナ２２に設けられ、主制御装置５０の指令に基づいて、排ガス処理システム２０の各機器を制御する。
【００６７】
続いて、図７を参照して、上記した排ガス処理システム２０を自動車運搬船１に取り付ける船舶の改造方法（排ガス処理システム２０の取付方法）について説明する。図７は、船舶に排ガス処理システムを取り付ける一例のフローチャートである。図７では、既存の船舶に排ガス処理システム２０を取り付けることを想定しており、煙突が、分岐排ガス流路１２を有していない構成となっている。
【００６８】
図７に示す船舶の改造方法では、先ず、分岐排ガス流路１２を有しない煙突を撤去する（Ｓ１１：煙突撤去工程）。この煙突撤去工程Ｓ１１では、暴露面Ｐ１を境界面として、その上方側の煙突を撤去する。煙突の撤去後、続いて、分岐排ガス流路１２を有する煙突６を設置する（Ｓ１２：煙突設置工程）。このように、煙突６を交換することで、排ガス処理システム２０に適した煙突６とする。次に、煙突６の設置後、船舶本体２の暴露面Ｐ１に、スクラバ装置２１及び複数のコンテナ２２を取り付ける（Ｓ１３：取付工程）。この取付工程では、スクラバ装置２１及び複数のコンテナ２２をクレーン等で吊り上げて設置する。また、この取付工程では、スクラバ装置２１及びコンテナ２２の他、外部配管４７、中和剤タンク２３、スラッジタンク２４、及び主制御装置５０も船内に取り付ける。このように、取付工程では、排ガス処理システム２０の主要となる機器を取り付ける。取付後、続いて、スクラバ装置２１とコンテナ２２内の付帯設備とを接続する（Ｓ１４：接続工程）。この接続工程では、スクラバ装置２１と付帯設備と接続すべく、コンテナ２２内の内部配管４５と外部配管４７とを貫通配管４６及びフレキシブル配管４８を介して接続する。このとき、接続工程Ｓ１４では、スクラバ装置２１と付帯設備との接続だけでなく、コンテナ２２同士の付帯設備の接続、主制御装置５０と補助制御盤５１との接続も実行する。このように、接続工程Ｓ１４の実行が完了することで、船舶本体２に排ガス処理システム２０の取付が完了する。
【００６９】
続いて、図８を参照して、上記した排ガス処理システム２０の取付方法について説明する。図８は、船舶に排ガス処理システムを取り付ける一例のフローチャートである。図８では、新造の船舶に排ガス処理システム２０を取り付けることを想定しており、煙突６が、分岐排ガス流路１２を有する構成となっている。
【００７０】
図８に示す排ガス処理システム２０の取付方法では、先ず、船舶本体２の暴露面Ｐ１に、スクラバ装置２１及び複数のコンテナ２２を取り付ける（Ｓ２１：取付工程）。なお、取付工程Ｓ２１は、図７の取付工程Ｓ１３と同様であるため、説明を省略する。取付後、続いて、スクラバ装置２１とコンテナ２２内の付帯設備とを接続する（Ｓ２２：接続工程）。なお、接続工程Ｓ２２も、図７の取付工程Ｓ１４と同様であるため、説明を省略する。このように、接続工程Ｓ２２の実行が完了することで、船舶本体２に排ガス処理システム２０の取付が完了する。
【００７１】
次に、図９を参照して、上記した排ガス処理システム２０の取外し方法について説明する。図９は、船舶から排ガス処理システムを取り外す一例のフローチャートである。図９に示す排ガス処理システム２０の取外し方法は、図８に示す排ガス処理システム２０の取付方法の逆の手順となっている。
【００７２】
図９に示す排ガス処理システム２０の取外し方法では、先ず、スクラバ装置２１とコンテナ２２内の付帯設備との接続を解除する（Ｓ３１：接続解除工程）。この接続解除工程Ｓ３１では、スクラバ装置２１と付帯設備との接続を解除すべく、フレキシブル配管４８を取り外して、コンテナ２２内の内部配管４５と外部配管４７との接続を解除する。このとき、接続解除工程Ｓ３１では、スクラバ装置２１と付帯設備との接続の解除だけでなく、コンテナ２２同士の付帯設備の接続の解除、主制御装置５０と補助制御盤５１との接続の解除も行う。接続の解除後、続いて、船舶本体２の暴露面Ｐ１から、スクラバ装置２１及び複数のコンテナ２２を取り外す（Ｓ３２：取外し工程）。この取外し工程Ｓ３２では、スクラバ装置２１及び複数のコンテナ２２をクレーン等で吊り上げて取り外す。また、この取外し工程Ｓ３２では、スクラバ装置２１及びコンテナ２２の他、外部配管４７、中和剤タンク２３、スラッジタンク２４、及び主制御装置５０も船内から取り外す。このように、取外し工程Ｓ３２では、排ガス処理システム２０の主要となる機器を取り外す。
【００７３】
以上のように、実施例１の構成によれば、スクラバ装置２１と、付帯設備が収容されたコンテナ２２と、を船舶の暴露面Ｐ１に設置することで、煙突６を通過する排ガスを浄化する排ガス処理システム２０を容易に構築することができる。このため、排ガス処理システム２０を船舶に追設する追設工事の費用を抑制することができる。また、船舶の暴露面Ｐ１から、スクラバ装置２１と、付帯設備が収容されたコンテナ２２とを取り外すことで、排ガス処理システム２０を船舶から容易に取り外すことができる。このため、船舶が廃船または売船される場合であっても、排ガス処理システム２０を船舶から取り外し、排ガス処理システム２０を再利用することが可能となるため、排ガス処理システム２０を有効に利用することができる。
【００７４】
また、実施例１の構成によれば、規格の海上コンテナを用いることができるため、排ガス処理システム２０の製造コストを抑制することができる。
【００７５】
また、実施例１の構成によれば、中和剤タンク２３を喫水線よりも上方側に設置することができるため、中和剤タンク２３を海水と接する船底から遠くなる位置に設けることができる。このため、中和剤は、海水によって冷やされ難くなることから、凝固することを抑制することができる。特に、中和剤として、苛性ソーダを用いる場合、苛性ソーダの凝固点は、１０℃程度であることから、中和剤タンク２３を喫水線よりも上方側に設置することで、苛性ソーダの凝固を抑制することができる。なお、中和剤タンク２３が可搬式である場合は、海水と中和剤とが接触して、中和剤が凝固することがないため、中和剤タンク２３は、喫水線よりも上方側に設置されてもよいし、下方側に設置されてもよい。
【００７６】
また、実施例１の構成によれば、剛性が高くなるように設計された乗込み甲板１６上に、中和剤タンク２３及びスラッジタンク２４を設置することができる。このため、中和剤タンク２３及びスラッジタンク２４の設置に際し、設置部分の補強工事を行う必要がないため、排ガス処理システム２０の追設工事の費用をさらに抑制することができる。
【００７７】
また、実施例１の構成によれば、規格の可搬式のタンクを中和剤タンク２３及びスラッジタンク２４として用いることができるため、専用の中和剤タンク及びスラッジタンク２４を製造する必要がなく、排ガス処理システム２０の製造コストを抑制することができる。
【００７８】
また、実施例１の構成によれば、排液処理装置３４によって排液からスラッジを分離させることで、排出物の容積を小さくすることができるため、スラッジタンク２４の容積を小さくすることができる。
【００７９】
また、実施例１の構成によれば、コンテナ２２と暴露面Ｐ１との間に、ツイストロックを設けることができるため、コンテナ２２を暴露面Ｐ１に対して容易に着脱することが可能となる。
【００８０】
また、実施例１の構成によれば、フレキシブル配管４８により貫通配管４６と外部配管４７とを接続することができるため、貫通配管４６と外部配管４７との相互の位置の微調整を行う必要がなく、貫通配管４６と外部配管４７と好適に接続することができる。また、船舶の振動による貫通配管４６と外部配管４７との相互の位置ずれを、フレキシブル配管４８において吸収することができるため、貫通配管４６と外部配管４７との接続を好適に維持することができる。
【００８１】
また、実施例１の構成によれば、ブーストポンプ３１を収容する第１コンテナ２２ａを、他のコンテナ２２ｂ，２２ｃよりも下方側に設置することができる。このため、海水ポンプ１９で汲み上げた海水を、ブーストポンプ３１により加圧して、鉛直方向の上方側にあるコンテナ２２ｂ，２２ｃの付帯設備に供給することができる。このため、海水ポンプの吐出圧が低い場合であっても、ブーストポンプ３１により加圧して、海水を利用する付帯設備に好適に供給することができ、排ガス処理システム２０の効率化を図ることができる。
【００８２】
また、実施例１の構成によれば、排液ポンプ３２を収容する第１コンテナ２２ａを、スクラバ装置２１と同じ位置に設置することができる。このため、排液タンク３０内の排液を、排液ポンプ３２により容易に汲み上げることができ、排ガス処理システム２０の効率化を図ることができる。なお、第１コンテナ２２ａは、スクラバ装置２１よりも下方側に設置してもよい。
【００８３】
また、実施例１の構成によれば、サージタンク３３を収容する第２コンテナ２２ｂを、スクラバ装置２１よりも上方側に設置することができる。このため、サージタンク３３内の中和剤を、排液タンク３０へ向けて重力により注入することができるため、中和剤を供給するための駆動源を設ける必要がなく、排ガス処理システム２０の効率化を図ることができる。
【実施例２】
【００８４】
次に、図１０から図１２を参照して、実施例２に係る排ガス処理システム２０を備える運搬船１について説明する。図１０は、実施例２に係る排ガス処理システムの中和剤タンク及びスラッジタンクを上方から見たときの平面図である。図１１は、図１０のＡ−Ａ断面図である。図１２は、図１０のＢ−Ｂ断面図である。なお、実施例１と重複した記載を避けるべく、実施例１と異なる部分についてのみ説明し、実施例１と同様のものについては、同じ符号を付して説明する。実施例１では、中和剤タンク２３及びスラッジタンク２４が、可搬式であったが、実施例２では、中和剤タンク７０及びスラッジタンク７１が、船殻構造となっている。
【００８５】
図１０に示すように、船殻構造の中和剤タンク７０及びスラッジタンク７１は、一体に構成されている。ここで、船殻構造とは、鋼板を用いて内壁及び外壁を構成し、内壁の内側と外壁の内側とに、所定の方向に延在するリブ部を設けた構成となっている。図１１及び図１２に示すように、この中和剤タンク７０は、乗込み甲板１６上に設けられており、乗込み甲板１６と一体に設けられている。また、中和剤タンク７０は、図１１に示すように、所定の断面においては、内部空間が広く形成される一方で、図１２に示すように、所定の断面（中心を通る断面）においては、内部空間が小さくなっている。
【００８６】
この中和剤タンク７０は、苛性ソーダによる腐食を抑制するための塗料が、内壁に塗布されている。なお、中和剤タンク７０は、腐食に強いステンレスの板材を内張りしてもよい。
【００８７】
以上、実施例２の構成によれば、中和剤タンク７０及びスラッジタンク７１を船舶と同様の構造にすることができるため、例えば、新造される船舶と同等の剛性の高い中和剤タンク７０及びスラッジタンクタンク７１を、船舶と一体に設けることが可能となる。
【００８８】
なお、実施例１及び２では、浄化後の排ガスを浄化ガスとして、スクラバ装置２１から外部に排気したが、浄化後の排ガスを主機関５へ供給してもよい。
【００８９】
また、実施例１及び２では、海水を淡水化して清水を生成し、清水に苛性ソーダを混入したが、この構成に限定されない。排ガス処理システム２０において清水を生成せずに、海水を浄化用処理水として、用いてもよい。この場合、排ガス処理システム２０は、第２コンテナ２２ｂ及び第３コンテナ２２ｃを省いた構成とすることができる。
【００９０】
また、実施例１及び２において、中和剤タンク２３，７０は、自動車運搬船１の場合、乗込み甲板１６上に設置したが、自動車運搬船１以外である場合、喫水線よりも上であればよく、船舶内部に設置してもよいし、暴露面Ｐ１に設置してもよい。また、中和剤タンク７０が船殻構造である場合は、船板を介して海水と中和剤とが接触し、中和剤が凝固し易いことから、中和剤タンク７０を、喫水線よりも上方側に設置することが好ましい。
【符号の説明】
【００９１】
１  自動車運搬船
２  船舶本体
５  主機関
６  煙突
７  排ガス管
８  スクリュープロペラ
１１  主排ガス流路
１２  分岐排ガス流路
１３  排ガスチャンバ
１４  開閉弁
１５  ランプ
１６  乗込み甲板
１７  エンジンケーシング
１８  受入設備
１９  海水ポンプ
２０  排ガス処理システム
２１  スクラバ装置
２２  コンテナ
２３  中和剤タンク
２４  スラッジタンク
２５  排ガス流入管
２７  ツイストロック
３０  排液タンク
３１  ブーストポンプ
３２  排液ポンプ
３３  サージタンク
３４  排液処理装置
３５  造水装置
４１  排水口
４３  コンテナ壁
４５  内部配管
４６  貫通配管
４７  外部配管
４８  フレキシブル配管
５０  主制御装置
５１  補助制御盤
Ｐ１  暴露面
【図１】
2014221594.tif 000003
【図２】
2014221594.tif 000004
【図３】
2014221594.tif 000005
【図４】
2014221594.tif 000006
【図５】
2014221594.tif 000007
【図６】
2014221594.tif 000008
【図７】
2014221594.tif 000009
【図８】
2014221594.tif 000010
【図９】
2014221594.tif 000011
【図１０】
2014221594.tif 000012
【図１１】
2014221594.tif 000013
【図１２】
2014221594.tif 000014